(57)【要約】      （修正有）【課題】パイロット信号に関わる問題を解決するため、パイロット信号を用いることなく主増幅器で発生する歪成分そのものをパイロット信号の変わりに使用し歪を正確に補償できる歪補償回路を提供する。【解決手段】本発明にかかる歪補償回路の基本的構成の大部分は、従来のフィードフォワード型歪補償回路のものと同様で、第一の分配器1、第一のベクトル調整器2、主増幅器3、第一の遅延線4、第二の分配器5、第一の合成器6、第二の遅延線7、第二のベクトル調整器8、誤差増幅器9、第二の合成器10、制御部11とを備える。しかしながら、該第一の合成器の出力端において中間迂回路信号を利用して歪成分を直接検出する広帯域検波器15と、該第二の合成器の出力端において最終主信号の特定部分の歪を直接検出する狭帯域検波器13とを備え、これら検出器の検出結果に基づいて該第一及び第二のベクトル調整器を調整する点で異なる。【選択図】  図１
2007318299.tif 000002
【特許請求の範囲】
【請求項１】
高周波入力信号を、初期主信号と初期迂回路信号に分配する第一の分配器(1)と、
該初期主信号の位相制御と利得調整を行う第一のベクトル調整器(2)と、
該初期主信号を増幅する主増幅器(3)と、
該初期迂回路信号の位相を、該主増幅器(3)で増幅された該初期主信号の位相に合わせる第一の遅延線(4)と、
該主増幅器で発生する歪成分を含む該初期主信号を、中間主信号と、歪検出用信号に分配する第二の分配器(5)と、
該歪検出用信号と該初期迂回路信号とを合成して中間迂回路信号を出力する第一の合成器(6)と、
第一の合成器(6)の出力端において該中間迂回路信号を利用して該歪成分を検出する広帯域検波器(15)と、
該中間主信号と該中間迂回路信号との位相を合わせるための第二の遅延線(7)と、
該中間迂回路信号の位相制御と利得調整を行う第二のベクトル調整器(8)と、
迂回路の誤差増幅器(9)と、
該中間迂回路信号と該中間主信号とを合成して該歪成分が除去された最終主信号を出力する第二の合成器(10)と、
位相制御及び利得調整を行う制御部(11)と、
該第二の合成器(10)の出力端において該最終主信号の特定部分の歪を検出する狭帯域検波器(13)と、
で構成され、
該広帯域検出器(15)の検出結果と、該狭帯域検波器(13)の検出結果に基づいて該第一及び第二のベクトル調整器(2,8)を調整することを特徴とする歪補償回路。
【請求項２】
該狭帯域検波器(13)は、検波周波数を変更できるものとなっている請求項１に記載の歪補償回路。
【請求項３】
該検波周波数の変更は、予め定められた特定値への移行により実行される請求項２に記載の歪補償回路。
【請求項４】
該検波周波数の変更は、予め定められた帯域内における周波数掃引による移行により実行される請求項２に記載の歪補償回路。
【発明の詳細な説明】
【技術分野】
【０００１】
本発明は、フィードフォワード型の歪補償回路に関するものである。
【背景技術】
【０００２】
歪補償回路として、フィードフォワード型のものが広く採用されている。フィードフォワード型歪補償回路は、入力信号を増幅させる際に発生する歪成分を、入力信号から分配した迂回路信号を用いて取り除くためのもので、その基本構成は図２に示す通りである。
【０００３】
図２に示すフィードフォワード型歪補償回路では、まず、入力端２０から高周波信号が入力され、第一の分配器１で初期主信号と初期迂回路信号に分配される。（以下、第一の分配器から出力された段階の信号は「初期」と称することとする。）初期主信号は、第一のベクトル調整器２を通過し主増幅器３により増幅される。そして、主増幅器３で増幅された初期主信号は、主増幅器３で発生する歪成分を含んだまま第二の分配器５に加えられ、その一部が歪検出用信号として第一の合成器６に加えられる。一方、初期迂回路信号は、第一の遅延線４において主増幅器３の遅延時間分の補正がなされた後、第一の合成器６に加えられ、前記歪検出用信号と合成されて中間迂回路信号として出力される。（以下、第一の合成器から出力された迂回路信号には「中間」を冠することとする。）この第一の合成器６では、迂回路信号に、その逆相の歪成分を含んだ歪検出用信号が合成され、これにより歪信号のみが抽出されることになる。
【０００４】
中間迂回路信号は、第二のベクトル調整器８を通過し誤差増幅器９で増幅され第二の合成器１０に加えられる。一方、第二の分配器５を通過した、歪成分を含む中間主信号は、第二の遅延線７において誤差増幅器９の遅延時間分の補正がなされ第二の合成器１０に加えられる。（以下、第二の合成器から分配された主信号には「中間」を冠することとする。）この第二の合成器１０では、相互に逆相となっている中間迂回路信号の歪成分と中間主信号の歪成分が合成され、互いに打ち消され、主信号から歪成分が除去されることになる。
【０００５】
ただし、主増幅器３の特性が温度や時間の経過の影響で変化すると、歪補償回路の歪を打ち消す特性が劣化してしまうという問題があった。そこで、この問題を解消するために、パイロット信号を用いる方法が採用されている。
【０００６】
パイロット信号は、第一のベクトル調整器２（歪検出回路）の調整を主目的とする第一パイロット信号と、第二のベクトル調整器８（歪除去回路）の調整を主目的とする第二パイロット信号の２種類が用いられる。第一パイロット信号は、入力端の第一パイロット信号発生器２４より入力信号に注入され、合成器６の出力端に設けられた第一パイロット信号検出器２５により検出される。そして、この第一パイロット信号が最小となるように、第一のベクトル調整器２で位相と利得が調整される。一方、第二パイロット信号は、第二パイロット信号発生器２２から主増幅器３の中段に注入され、出力端に設けられた第二パイロット信号検出器２３により検出される。そして、この第二パイロット信号が最小となるように、第二のベクトル調整器８で位相と利得が調整される。このように、第一及び第二パイロット信号が最小となるように、第一及び第二のベクトル調整器２、８で位相と利得を調整すれば、主増幅器３の特性の変化に関わらず、歪補償回路の歪を打ち消す特性を維持することができる。この際、第一パイロット信号検出器２５及び第二パイロット信号検出器２３の出力を取り込み、第一及び第二のベクトル調整器２、８を操作する制御部２１を利用することにより、効率的な調整を行うことができる。なお、このパイロット信号を利用したフィードフォワード型歪補償回路を開示した文献として、例えば、特開平４−８３４０６号がある。
【特許文献１】特開平４−８３４０６号公報
【発明の開示】
【発明が解決しようとする課題】
【０００７】
上記フィードフォワード型歪補償回路では、パイロット信号を利用するため、パイロット信号が歪信号内に埋もれてしまう、パイロット信号が検出出来ない、などのパイロット信号検出時の問題がある。
【０００８】
更に、パイロット信号を発生させるための高周波発振器を必要とし、その高周波発振器の構造、構成は複雑であり、歪補償回路そのものの取扱いも複雑になるという問題があった。更にまた、パイロット信号を除去させる回路が必要となり、回路構成が複雑で高価なものになるという問題もあった。
【０００９】
そこで、本発明の目的は、これらパイロット信号に関わる問題を解決するため、パイロット信号を用いることなく主増幅器で発生する歪成分そのものをパイロット信号の変わりに使用し歪を正確に補償できる歪補償回路を提供することにある。
【課題を解決するための手段】
【００１０】
本発明にかかる歪補償回路の基本的構成は、上記従来のフィードフォワード型歪補償回路のものと同様である。すなわち、第一の分配器、第一のベクトル調整器、主増幅器、第一の遅延線、第二の分配器、第一の合成器、第二の遅延線、第二のベクトル調整器、誤差増幅器、第二の合成器、制御部とで構成される。しかしながら、上記従来のフィードフォワード型歪補償回路に対し、第一の合成器の出力端において該中間迂回路信号を利用して該歪成分を直接検出する広帯域検波器と、該第二の合成器の出力端において該最終主信号の特定部分の歪を直接検出する狭帯域検波器とを備え、該広帯域検出器の検出結果と、該狭帯域検波器の検出結果に基づいて該第一及び第二のベクトル調整器を調整することを特長とする。
【００１１】
該狭帯域検波器は、検波周波数を変更できるものであってもよい。
【発明の効果】
【００１２】
本発明によれば、広帯域検波器、及び狭帯域検波器により歪成分を直接検出し、その検出レベルが最小になるよう出来る。第一及び第二のベクトル調整器を調整することで、歪を正確に補償できる。この際、歪成分を発生する入力信号が有るか無いかが問題となるので、入力信号の有無は常に監視する必要がある。但し、入力信号が１波のみでその入力信号周波数が予め判っている場合は監視する必要は無い。
【００１３】
狭帯域検波器が検波周波数を変更できるものであれば、変化する入力信号を探し、その入力信号により発生した歪信号の周波数に狭帯域検波器の検波周波数にあわせ歪信号を検出し、第２のベクトル調整器を調整することが出来る。
【００１４】
周波数の変更は、所定範囲での掃引により実行されてもよく、或いは、予め定められた特定値への移行により実行されてもよい。これらの変更方法を適宜使い分けることにより、周波数の変更による狭帯域検波器出力で、想定外の入力信号の周波数を知ることが出来、それにより生じるスプリアスの周波数を検出し歪補償を行うことも可能となる。例えば、ＴＶ放送などで昼間電波を出している複数のチャンネルのうちいくつかのチャンネルが夜間停波する場合、昼間と夜間ではスプリアス発生周波数が変わってしまう。停波するチャンネルが予め判明していればスプリアス発生周波数も判明するため、後出の変更方法を採ればよい。一方、停波するチャンネルが予め判明していなければ、後出の変更方法によりスプリアス発生周波数を知ることができる。
【００１５】
狭帯域検波器の通過帯域幅は、例えば、１ｋＨｚ〜１００ｋＨｚとすればよい。ただし、この通過帯域幅は、検出する信号の変調波成分を取り込めるものとする必要がある。特に、地上波デジタル放送のＯＦＤＭ搬送波の搬送波間隔は、モ-ド１で３．９６８ｋＨｚ、モ-ド３で０．９ｋＨｚであり狭帯域検波器の通過帯域幅を±１５ｋＨｚとすれば、搬送波により発生する歪成分は最も広い場合でも３．９６８ｋＨｚ間隔で発生するので、帯域内に３波は入りＯＦＤＭ波を正確に検出でき地上デジタル放送のＡＭＰなどの用途に好適である。
【発明を実施するための最良の形態】
【００１６】
以下、図１に、本発明の具体例を示す。図１は歪補償回路の回路図である。なお、上述の従来技術をそのまま採用した部分には、従来技術の説明に使用したものと同じ符号を付加し、その説明を省略する。
【００１７】
この歪補償回路は、従来のフィードフォワード型歪補償回路に対し、パイロット信号発生器（図２の第二パイロット信号発生器２２及び第一パイロット信号発生器２４）を備える代わりに、第一の合成器６の出力端において中間迂回路信号を利用して歪成分を検出する広帯域検波器１５と、第二の合成器の出力端において最終主信号の特定部分の歪を検出する狭帯域検波器１３とを備える。広帯域検波器１５は、従来のフィードフォワード型歪補償回路における第一パイロット信号検出器（図2の第一パイロット信号検出器２２）と同様に、第一の合成器６の出力端において中間迂回路信号を取り込む役割を果たすものとなっている。ただし、第一パイロット信号を検出するものではなく、歪成分を直接検出するものとなっている点で第一パイロット信号検出器２２と相違している。一方、狭帯域検波器１３は、従来のフィ−ドフォワ−ド型歪補償回路における第二パイロット信号検出器（図２の第二パイロット信号検出器２３）と同様に、第二の合成器１０の出力端において最終主信号を取り込む役割を果たすものとなっている。ただし、第二パイロット信号を検出するものではなく、最終主信号の特定部分の歪を直接検出するものとなっている点で第二パイロット信号検出器２３と相違している。そして、制御部１１は、これら広帯域検波器１５及び狭帯域検波器１３により検出した歪信号が最小になるように、第一及び第二のベクトル調整器２、８で位相と利得を調整し、主増幅器３の特性の変化に関わらず、歪補償回路の歪を打ち消す特性を維持する。そのため、この歪補償回路によれば、パイロット信号を用いることなく歪を正確に補償できる。
【００１８】
狭帯域検波器１３は、帯域内で検波周波数を変更できるものとなっている。狭帯域検波器１３の検出レベルが予め制御部１１に設定したレベルより下がらない場合、制御部１１より狭帯域検波器１３に制御信号を与え狭帯域検波器１３の周波数を掃引し帯域内に入力している高周波信号を調べ、入力している高周波信号の歪信号が発生する周波数に狭帯域検波器１３の周波数を移動し、そして、狭帯域検出器１３の出力が最小となる様第二のベクトル調整器８の位相と利得を調整する。このような制御を実行すれば、帯域内に入力する信号が何らかの影響で途絶えたり、想定外の高周波信号が入力した場合もこれを回避し歪補正を行うことができる。
【００１９】
なお、調整が不能となる原因がある程度特定され、その際に最適となる狭帯域検波器１３の周波数が判明している場合、制御部１１にその周波数を予め記憶しておいてもよい。そして、狭帯域検波器１３の周波数の変更は掃引ではなく、その記憶された値への移行により実行してもよい。その場合、掃引による変更と比較して、歪補償がより短時間で実行される。
【図面の簡単な説明】
【００２０】
【図１】本発明の歪補償回路の具体例を示す回路図である。
【図２】従来技術例を示す回路図である。
【符号の説明】
【００２１】
１    第一の分配器
２    第一のベクトル調整器
３    主増幅器
４    第一の遅延線
５    第二の分配器
６    第一の合成器
７    第二の遅延線
８    第二のベクトル調整器
９    誤差増幅器
１０  第二の合成器
１１  制御部
１３  狭帯域検波器
１５  広帯域検波器
【図１】
2007318299.tif 000003
【図２】
2007318299.tif 000004